【手続補正書】
【提出日】平成24年2月27日(2012.2.27)
【手続補正１】
【補正対象書類名】明細書
【補正対象項目名】０００６
【補正方法】変更
【補正の内容】
【０００６】
この目的を達成するために、請求項１記載の遊技機は、第１反射部材と、その第１反射部材に対し互いに内面側を向かい合わせた状態で対向配置される第２反射部材と、それら第１反射部材および第２反射部材の対向面間へ向けて光を出射可能に構成される発光体とを有する一対の反射ユニットと、それら一対の反射ユニットを互いに近接する方向または離間する方向へ移動させる反射ユニット移動手段と、一対の扉部材と、それら一対の扉部材を互いに近接する方向または離間する方向へ移動させる扉移動手段と、を備え、前記第１反射部材は、その第１反射部材の内面側から入射された光の少なくとも一部を反射可能に構成され、前記第２反射部材は、その第２反射部材の内面側から入射された光の一部を反射可能、かつ、前記第２反射部材の内面側から入射された光の一部を透過可能に構成され、前記一対の反射ユニットの移動軌跡と一対の扉部材の移動軌跡とが少なくとも一部で重なるように構成されている。
【手続補正２】
【補正対象書類名】明細書
【補正対象項目名】０００７
【補正方法】変更
【補正の内容】
【０００７】
請求項２記載の遊技機は、請求項１記載の遊技機において、図柄などの識別情報が表示される表示面を有する表示装置を備え、前記反射ユニット移動手段による前記一対の反射ユニットの移動は、前記一対の反射ユニットが端部同士を当接させる第１ユニット位置と、その第１ユニット位置から互いに離間する方向へ移動し前記一対の反射ユニットが所定間隔を隔てる第２ユニット位置との間で行われ、前記扉移動手段による前記一対の扉部材の移動は、第１扉位置と、その第１扉位置から互いに離間する方向へ移動され前記一対の扉部材が所定間隔を隔てる第２扉位置との間で行われ、前記第１反射部材は、前記第１ユニット位置において前記表示装置の表示面に対向配置され、前記表示装置の表示面側から入射された光の少なくとも一部を透過可能に構成され、前記一対の扉部材は、少なくとも前記第１扉位置において前記反射ユニットの第２反射部材に対向配置される。
【手続補正３】
【補正対象書類名】明細書
【補正対象項目名】００１０
【補正方法】変更
【補正の内容】
【００１０】
請求項５記載の遊技機は、請求項１から４のいずれかに記載の遊技機において、前記一対の反射ユニットは、前記発光体を複数備え、それら複数の発光体が所定間隔を隔てつつ前記第１反射部材および第２反射部材の縁部に沿って列設され、前記一対の扉部材の移動軌跡と前記複数の発光体の移動軌跡とが少なくとも一部で重なるように構成されている。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】変更
【補正の内容】
【００２２】
請求項１記載の遊技機によれば、第１反射部材と、その第１反射部材に対向配置される第２反射部材と、それら第１反射部材および第２反射部材の対向面間へ向けて光を出射可能に構成される発光体とを有する一対の反射ユニットを備え、第１反射部材は、その第１反射部材の内面側から入射された光の少なくとも一部を反射可能に構成され、第２反射部材は、その第２反射部材の内面側から入射された光の一部を反射可能、かつ、その第２反射部材の内面から入射された光の一部を透過可能に構成されているので、第２反射部材の外面側を遊技者が視認可能となる向きに一対の反射ユニットを配置することで、第１反射部材の内面で反射され第２反射部材を透過した光（即ち、第１反射部材の内面に映し出される発光体の光）を遊技者に視認させることができる。
【手続補正１６】
【補正対象書類名】明細書
【補正対象項目名】００２４
【補正方法】変更
【補正の内容】
【００２４】
この場合、第１から第ｎの各鏡像は、反射の回数が多い鏡像（即ち、第ｎ−１の鏡像より第ｎの鏡像）ほど発光体から離間して位置し、各鏡像の反射経路の長さ（発光体から第１反射部材の内面に到達するまでの光路の累積距離）が、反射の回数に応じて、異なる長さとなる（反射の回数が多い鏡像ほど反射経路が長くなる）。
【手続補正１７】
【補正対象書類名】明細書
【補正対象項目名】００２５
【補正方法】変更
【補正の内容】
【００２５】
これにより、遊技者には、各鏡像を実際の位置（第１反射部材の内面）よりも奥側に視認させることができ、この場合には、反射の回数が少なく反射経路の長さが短い鏡像（即ち、発光体に近い位置の鏡像）よりも、反射の回数が多く反射経路の長さが長い鏡像（即ち、発光体から離間する位置の鏡像）ほど、奥側に視認される度合いを大きくすることができるので、発光体による装飾効果を遠近感のある立体的なものとして、遊技者が感じる視覚的な興趣を高めることができるという効果がある。
【手続補正１８】
【補正対象書類名】明細書
【補正対象項目名】００２６
【補正方法】変更
【補正の内容】
【００２６】
また、本発明の遊技機によれば、一対の反射ユニットを互いに近接する方向または離間する方向へ移動させる反射ユニット移動手段を備える構成であるので、かかる反射ユニット移動手段により反射ユニットを移動させることで、上述した第１から第ｎの鏡像により装飾する位置を変更することができ、第１から第ｎの鏡像の一群が移動することで、発光体による装飾効果を動きのある動的なものとすることができるので、遊技者が感じる視覚的な興趣を高めることができるという効果がある。
【手続補正１９】
【補正対象書類名】明細書
【補正対象項目名】００２９
【補正方法】変更
【補正の内容】
【００２９】
請求項２記載の遊技機によれば、請求項１記載の遊技機の奏する効果に加え、図柄などの識別情報が表示される表示面を有する表示装置を備え、第１反射部材が、第１ユニット位置において表示装置の表示面に対向配置され、表示装置の表示面側から入射された光の少なくとも一部を透過可能に構成されているので、第１反射部材が第１ユニット位置に移動され表示装置に対向配置されると、表示装置の表示面に表示される識別情報と、反射ユニットにより形成される発光体の鏡像とを重ねた状態で遊技者に視認させることができるという効果がある。これにより、例えば、表示装置の表示面に表示される識別情報を、発光体の鏡像によって装飾する（表示装置の表示面を発光体の鏡像で覆う、表示面の手前側や奥側に鏡像を視認させるなど）ことや、表示装置の表示面に表示される識別情報と発光体の鏡像との状態（表示位置、色、輝度、動き、タイミングなど）を連動させることなどができるので、表示装置の表示面に表示される識別情報を遊技者に注視させることができるという効果がある。
【手続補正２０】
【補正対象書類名】明細書
【補正対象項目名】００４１
【補正方法】削除
【補正の内容】
【手続補正２１】
【補正対象書類名】明細書
【補正対象項目名】００４２
【補正方法】削除
【補正の内容】
【手続補正２２】
【補正対象書類名】明細書
【補正対象項目名】００４３
【補正方法】削除
【補正の内容】
【手続補正２３】
【補正対象書類名】明細書
【補正対象項目名】００４４
【補正方法】削除
【補正の内容】
【手続補正２４】
【補正対象書類名】明細書
【補正対象項目名】００４５
【補正方法】削除
【補正の内容】
【手続補正２５】
【補正対象書類名】明細書
【補正対象項目名】００４６
【補正方法】削除
【補正の内容】
【手続補正２６】
【補正対象書類名】明細書
【補正対象項目名】００４７
【補正方法】削除
【補正の内容】
【手続補正２７】
【補正対象書類名】明細書
【補正対象項目名】００４８
【補正方法】削除
【補正の内容】
【手続補正２８】
【補正対象書類名】明細書
【補正対象項目名】００４９
【補正方法】削除
【補正の内容】
【手続補正２９】
【補正対象書類名】明細書
【補正対象項目名】００５０
【補正方法】削除
【補正の内容】
【手続補正３０】
【補正対象書類名】明細書
【補正対象項目名】００５１
【補正方法】削除
【補正の内容】
【手続補正３１】
【補正対象書類名】明細書
【補正対象項目名】００５２
【補正方法】削除
【補正の内容】
【手続補正３２】
【補正対象書類名】明細書
【補正対象項目名】００５３
【補正方法】削除
【補正の内容】
【手続補正３３】
【補正対象書類名】明細書
【補正対象項目名】００５４
【補正方法】削除
【補正の内容】
【手続補正３４】
【補正対象書類名】明細書
【補正対象項目名】００５５
【補正方法】削除
【補正の内容】
【手続補正３５】
【補正対象書類名】明細書
【補正対象項目名】００５６
【補正方法】削除
【補正の内容】
【手続補正３６】
【補正対象書類名】特許請求の範囲
【補正対象項目名】全文
【補正方法】変更
【補正の内容】
【特許請求の範囲】
【請求項１】
第１反射部材と、その第１反射部材に対し互いに内面側を向かい合わせた状態で対向配置される第２反射部材と、それら第１反射部材および第２反射部材の対向面間へ向けて光を出射可能に構成される発光体とを有する一対の反射ユニットと、
それら一対の反射ユニットを互いに近接する方向または離間する方向へ移動させる反射ユニット移動手段と、
一対の扉部材と、
それら一対の扉部材を互いに近接する方向または離間する方向へ移動させる扉移動手段と、を備え、
前記第１反射部材は、その第１反射部材の内面側から入射された光の少なくとも一部を反射可能に構成され、
前記第２反射部材は、その第２反射部材の内面側から入射された光の一部を反射可能、かつ、前記第２反射部材の内面側から入射された光の一部を透過可能に構成され、
前記一対の反射ユニットの移動軌跡と一対の扉部材の移動軌跡とが少なくとも一部で重なるように構成されていることを特徴とする遊技機。
【請求項２】
図柄などの識別情報が表示される表示面を有する表示装置を備え、
前記反射ユニット移動手段による前記一対の反射ユニットの移動は、前記一対の反射ユニットが端部同士を当接させる第１ユニット位置と、その第１ユニット位置から互いに離間する方向へ移動し前記一対の反射ユニットが所定間隔を隔てる第２ユニット位置との間で行われ、前記扉移動手段による前記一対の扉部材の移動は、第１扉位置と、その第１扉位置から互いに離間する方向へ移動され前記一対の扉部材が所定間隔を隔てる第２扉位置との間で行われ、
前記第１反射部材は、前記第１ユニット位置において前記表示装置の表示面に対向配置され、前記表示装置の表示面側から入射された光の少なくとも一部を透過可能に構成され、
前記一対の扉部材は、少なくとも前記第１扉位置において前記反射ユニットの第２反射部材に対向配置されることを特徴とする請求項１記載の遊技機。
【請求項３】
前記第２ユニット位置および第２扉位置では、前記一対の反射ユニット及び一対の扉部材が前記表示装置の表示面における表示領域外へ移動されることを特徴とする請求項２記載の遊技機。
【請求項４】
前記一対の扉部材は、前記扉移動手段により移動される方向の幅寸法が前記反射ユニットの幅寸法よりも小さくされていることを特徴とする請求項２又は３に記載の遊技機。
【請求項５】
前記一対の反射ユニットは、前記発光体を複数備え、それら複数の発光体が所定間隔を隔てつつ前記第１反射部材および第２反射部材の縁部に沿って列設され、
前記一対の扉部材の移動軌跡と前記複数の発光体の移動軌跡とが少なくとも一部で重なるように構成されていることを特徴とする請求項１から４のいずれかに記載の遊技機。